(57)【特許請求の範囲】
【請求項１】
容器に載置した状態で、吸引具により体内から吸引された血液を濾過する血液濾過器具において、
第１筒状体と、
第１筒状体の内部に設けられ、第１筒状体の軸方向に上記血液を濾過するフィルタを有する濾過部とを備え、
上記血液濾過器具を上記容器に載置したときに、上記第１筒状体の軸方向に、フィルタを有さない、吸引具内の廃棄物を廃棄するための廃棄経路となる中空部が形成されており、
上記中空部は、上記第１筒状体の外周部に形成された切欠部によって形成されることを特徴とする血液濾過器具。
【請求項２】
上記中空部は、上記第１筒状体の内部に設けられた第２筒状体によって形成されることを特徴とする請求項１に記載の血液濾過器具。
【請求項３】
上記中空部は、上記濾過部のフィルタ面に形成された切欠部によって形成されることを特徴とする請求項１に記載の血液濾過器具。
【請求項４】
容器に載置した状態で、吸引具により体内から吸引された血液を濾過する血液濾過器具において、
第１筒状体と、
第１筒状体の内部に設けられ、第１筒状体の軸方向に上記血液を濾過するフィルタを有する濾過部とを備え、
上記血液濾過器具を上記容器に載置したときに、上記第１筒状体の軸方向に、フィルタを有さない中空部が形成されており、
上記中空部は、上記第１筒状体の外周部に形成された切欠部によって形成されることを特徴とする血液濾過器具。
【請求項５】
上記第２筒状体の上端部は、上記第１筒状体の上端部よりも低い位置に存在することを特徴とする請求項２に記載の血液濾過器具。
【請求項６】
容器に載置した状態で、吸引具により体内から吸引された血液を濾過する血液濾過器具において、
第１筒状体と、
第１筒状体の内部に設けられ、第１筒状体の軸方向に上記血液を濾過するフィルタを有する濾過部とを備え、
上記血液濾過器具を上記容器に載置したときに、上記第１筒状体の軸方向に、フィルタを有さない中空部が形成されており、
上記中空部は、上記第１筒状体の内部に設けられた第２筒状体によって形成されており、
上記第２筒状体の上端部は、上記第１筒状体の上端部よりも低い位置に存在することを特徴とする血液濾過器具。
【請求項７】
上記濾過部を複数の区域に仕切るための仕切り部が設けられていることを特徴とする請求項１〜６のいずれか１項に記載の血液濾過器具。
【請求項８】
上記仕切り部は、上記中空部に接続されており、
上記中空部の上端部は、上記仕切り部の上端部よりも低い位置に存在することを特徴とする請求項７に記載の血液濾過器具。
【請求項９】
上記第１筒状体には、上記第１筒状体の外面から外周方向に延設された縁部が設けられていることを特徴とする請求項１〜８のいずれか１項に記載の血液濾過器具。
【請求項１０】
上記縁部に、上記第１筒状体の上端部側および下端部側の少なくとも一方に突出した突出部が設けられていることを特徴とする請求項９に記載の血液濾過器具。
【請求項１１】
上記縁部の下に載置される拡張縁部材を備えることを特徴とする請求項９または１０に記載の血液濾過器具。
【請求項１２】
容器に載置した状態で、吸引具により体内から吸引された血液を濾過する血液濾過器具において、
第１筒状体と、
第１筒状体の内部に設けられ、第１筒状体の軸方向に上記血液を濾過するフィルタを有する濾過部とを備え、
上記血液濾過器具を上記容器に載置したときに、上記第１筒状体の軸方向に、フィルタを有さない中空部が形成されており、
上記第１筒状体には、上記第１筒状体の外面から外周方向に延設された縁部が設けられており、前記血液濾過器具は、上記縁部の下に載置される拡張縁部材を備えることを特徴とする血液濾過器具。
【請求項１３】
上記第１筒状体の内周面の径が、上部から下部に向かって徐々に小さくなっていることを特徴とする請求項１〜１２のいずれか１項に記載の血液濾過器具。
【請求項１４】
上記フィルタは、上記第１筒状体の底面部にのみ設けられていることを特徴とする請求項１〜１３のいずれか１項に記載の血液濾過器具。
【請求項１５】
上記フィルタは、親水性を有することを特徴とする請求項１〜１４のいずれか１項に記載の血液濾過器具。
【請求項１６】
上記中空部に載置される濾過器を備えることを特徴とする請求項１〜１５のいずれか１項に記載の血液濾過器具。
【発明の詳細な説明】
【技術分野】
【０００１】
本発明は、カテーテルなどの吸引具によって体内から吸引された血液を濾過するために使用される血液濾過器具に関する。
【背景技術】
【０００２】
末梢血管や冠動脈に血栓が生じた場合、腕や下肢などの血管にカテーテルなどの吸引具を挿入（穿刺）して、末梢血管や冠動脈を閉塞している血栓を血液と共に吸引し、血栓を体外に除去する治療が行われる。この治療は、血栓吸引療法とも称される。血栓吸引療法においては、血栓が確実に吸引されたことを確認するため、また、吸引された血栓の量や大きさを確認するために、吸引された血液を濾過する必要がある。そこで、吸引された血液を濾過するために、血液濾過器具が使用される。
【０００３】
一般的な血液濾過器具は、ビーカー等の容器に載置して使用される。そして、血液濾過器具に設けられたメッシュ（フィルタ）を通して吸引された血液を濾過し、濾過された血液を、容器に回収する。例えば、特許文献１には、このような血液濾過器具としての血栓捕集器具が開示されている。
【０００４】
特許文献１に開示されている血栓捕集器具は、円形状の上開口と、前記上開口よりも小径の円形状の下開口とを有し、前記上開口から前記下開口に向かって徐々に小径となる逆截頭円錐体（円錐体の頭部を底面と平行な面で切り取ったときの残りの部分）形状の本体と、前記本体の内部の前記下開口近傍に設置され、前記本体の内部に注入された血液を濾過し凝集成分を濾別し捕集する濾過フィルタとを有している。
【先行技術文献】
【特許文献】
【０００５】
【特許文献１】特開２０１４−１９５５５８号公報（２０１４年１０月１６日公開）
【発明の概要】
【発明が解決しようとする課題】
【０００６】
血栓吸引療法では、血栓の吸引に伴って吸引具内に血液の泡が発生するため、発生した泡を廃棄する必要がある。また、一度血栓を吸引した後や、吸引具に血栓が詰まった場合には、洗浄液を用いて吸引具を洗浄（フラッシュ）してから、再度血栓を吸引する。このため、吸引具を洗浄した後には、吸引具内の洗浄液も廃棄する必要がある。血栓吸引療法は一刻を争う状況で実施されるため、吸引血液の濾過作業だけでなく、このような血液の泡や洗浄液の廃棄作業も、迅速かつ簡便に行わなければならない。
【０００７】
しかし、特許文献１に開示されている血栓捕集器具は、血液の泡や洗浄液等の廃棄物の廃棄作業については一切考慮されていない。このため、この血栓捕集器具を血栓吸引療法に用いた場合、濾過フィルタにより濾過された血液を回収する容器と、廃棄物を回収する容器とを別々に準備しなければならない。つまり、吸引血液の濾過作業用の容器とは別に、廃棄物の廃棄作業用の容器が必要になる。その結果、各作業を行う前には、容器を交換する作業が必要になる。したがって、吸引血液の濾過作業と、血液の泡や洗浄液の廃棄作業とを、迅速に行うことができないという問題が生じる。
【０００８】
また、吸引血液の濾過作業用の容器を、廃棄作業用の容器として利用することも考えられる。しかし、上記血栓捕集器具は、網目幅が数十μｍ程度の濾過フィルタを用いて血栓を捕集しているため、吸引血液の濾過作業用の容器に血栓捕集器具を設置した状態で廃棄作業を行うと、廃棄作業に時間がかかる。また、場合によっては、血栓捕集器具から洗浄液が溢れてしまう。このため、吸引血液の濾過作業用の容器を、廃棄作業用の容器として利用する場合には、血栓捕集器具を容器から取り外す作業が必要になる。したがって、この場合も、吸引血液の濾過作業と、血液の泡や洗浄液の廃棄作業とを、迅速に行うことができない。
【０００９】
本発明は、前記の問題点に鑑みてなされたものであり、その目的は、血液の濾過作業と吸引具内の廃棄物の回収作業とを迅速に行うことのできる血液濾過器具を提供することにある。
【課題を解決するための手段】
【００１０】
上記の課題を解決するために、本発明の血液濾過器具は、容器に載置した状態で、吸引具により体内から吸引された血液を濾過する血液濾過器具において、第１筒状体と、第１筒状体の内部に設けられ、第１筒状体の軸方向に上記血液を濾過するフィルタを有する濾過部とを備え、上記血液濾過器具を上記容器に載置したときに、上記第１筒状体の軸方向に、フィルタを有さない中空部が形成されることを特徴としている。
【００１１】
上記の構成によれば、血液濾過器具の形状が、血液濾過器具を容器に載置した状態で、第１筒状体の軸方向に中空部が形成されるような形状となっている。この中空部は、濾過部によって血液を濾過する方向と同一方向に形成される。したがって、この中空部は、血液の泡や洗浄液などの吸引具内の廃棄物を廃棄する廃棄部（廃棄経路）として利用することができる。しかも、中空部にはフィルタが設けられていないため、血液の泡や洗浄液などの廃棄物の廃棄作業を迅速に行うことができる。
【００１２】
すなわち、上記の構成によれば、血液濾過器具に、血液を濾過する濾過部と、血液の泡や洗浄液などの廃棄物を廃棄する廃棄部（廃棄経路）として利用できる中空部とが別個に設けられている。また、血液を濾過する方向および吸引具内の廃棄物を廃棄する方向は、いずれも第１筒状体の軸方向であり、同一である。これにより、血液濾過器具を容器に載置した状態で、血液の濾過作業と、血液の泡や洗浄液などの廃棄物の廃棄作業とを行うことができる。このため、容器を交換する作業も、容器から血液濾過器具を取り外す作業も不要である。したがって、血液の濾過作業と、血液の泡や洗浄液などの吸引具内の廃棄物の回収作業とを迅速に行うことができる。
【００１３】
本発明の血液濾過器具において、上記中空部は、上記第１筒状体の内部に設けられた第２筒状体によって形成される構成であってもよい。これにより、第２筒状体から、血液の泡や洗浄液などの廃棄物を廃棄することができる。
【００１４】
本発明の血液濾過器具において、上記中空部は、上記濾過部のフィルタ面に形成された切欠部によって形成される構成であってもよい。これにより、濾過部のフィルタ面に形成された切欠部から、血液の泡や洗浄液などの廃棄物を廃棄することができる。
【００１５】
本発明の血液濾過器具において、上記中空部は、上記第１筒状体の外周部に形成された切欠部によって形成される構成であってもよい。これにより、第１筒状体の外周部に形成された切欠部から、血液の泡や洗浄液などの廃棄物を廃棄することができる。また、血液濾過器具を容器に載置した状態で、容器に回収された血液の泡や洗浄液などの廃棄物を、切欠部から容易に排出することもできる。
【００１６】
本発明の血液濾過器具において、上記第２筒状体の上端部は、上記第１筒状体の上端部よりも低い位置に存在することが好ましい。
【００１７】
上記の構成によれば、第２筒状体の高さが、第１筒状体の高さよりも低くなっている。これにより、濾過部に容量以上の血液が注入されたとしても、注入された血液は、第１筒状体の上端部を超える前に、第２筒状体の上端部を越えて廃棄される。したがって、血液が第１筒状体の上端部から外部に漏れ、血液濾過器具の周りが汚れるのを防ぐことができる。
【００１８】
本発明の血液濾過器具は、上記濾過部を複数の区域に仕切るための仕切り部が設けられている構成であってもよい。これにより、吸引具によって複数回血液を吸引する場合に、各回で採取された血液を異なる区域で濾過し、各回の血栓を採取することができる。したがって、血栓が採取されなくなる回の把握が容易になるため、治療の終了を適切に決定することができる。
【００１９】
本発明の血液濾過器具において、上記仕切り部は、上記中空部に接続されており、上記中空部の上端部は、上記仕切り部の上端部よりも低い位置に存在することが好ましい。
【００２０】
上記の構成によれば、中空部の高さが、仕切り部の高さよりも低くなっている。これにより、仕切り部によって仕切られた濾過部の区域に、その区域の容量以上の血液が注入されたとしても、注入された血液は、仕切り部の上端部を超える前に、中空部の上端部を越えて廃棄される。したがって、隣接する濾過部の区域に血液が溢れること、および／または、血液が第１筒状体の上端部から外部に漏れるのを防ぐことができる。
【００２１】
本発明の血液濾過器具は、上記第１筒状体には、上記第１筒状体の外面から外周方向に延設された縁部が設けられている構成であってもよい。
【００２２】
上記の構成によれば、血液濾過器具を容器に載置したときに、第１筒状体に形成された縁部が容器の上端部に接する。したがって、血液濾過器具を容器に安定して載置することができる。
【００２３】
本発明の血液濾過器具は、上記縁部に、上記第１筒状体の上端部側および下端部側の少なくとも一方に突出した突出部が設けられている構成であってもよい。
【００２４】
上記の構成によれば、第１筒状体の外面から外周方向に延設された縁部に、突出部が形成されている。これにより、第１筒状体の外周面よりも大きいサイズの容器に、血液濾過器具を載置したときに、容器の側壁（容器の内面または外面）に突出部が接することにより、血液濾過器具と容器との間の相対的な位置ずれを低減することができる。
【００２５】
本発明の血液濾過器具は、上記縁部の下に載置される拡張縁部材を備える構成であってもよい。上記の構成によれば、血液濾過器具を容器に載置したときに、容器の上端部に接する部分の面積を大きくすることができる。したがって、血液濾過器具を載置できる容器の種類を増やすことができ、また血液濾過器具を容器に安定して載置することができる。
【００２６】
本発明の血液濾過器具は、上記第１筒状体の内周面の径が、上部から下部に向かって徐々に小さくなっている構成であってもよい。
【００２７】
上記の構成によれば、第１筒状体の内周面が、第１筒状体の下部から上部に向かって幅広になっている。これにより、血液濾過器具を載置する容器の開口部の内径が、第１筒状体の上部側の開口部の外径と、第１筒状体の下部側の開口部の外径との間である場合に、第１筒状体の外周面が容器の開口部に接する。したがって、多様なサイズの容器に血液濾過器具を安定して載置することができる。
【００２８】
また、上記の構成によれば、第１筒状体の内周面の径が同一である場合よりも、フィルタ面に濾過する血液からの圧力がかかるため、その血液が流れやすくなる。したがって、濾過部における血液の濾過速度を向上することができる。さらに、第１筒状体が上述した形状であれば、血液濾過器具を成形によって製造する際に、成形後の血液濾過器具を成形機の金型から取り出しやすくなる。
【００２９】
本発明の血液濾過器具において、上記フィルタは、上記第１筒状体の底面部にのみ設けられていることが好ましい。
【００３０】
上記の構成によれば、フィルタが第１筒状体の底面部にのみ設けられており、第１筒状体の内周面（側面部）には設けられていない。これにより、濾過する血液は、第１筒状体の底面部でのみ濾過される。その結果、フィルタが第１筒状体の底面部および内周面に設けられている場合よりも、第１筒状体の底面部でのフィルタによる濾過が促進される。したがって、吸引血液が濾過部に溜まるのを抑制しつつ、濾過部における濾過速度を向上することができる。
【００３１】
本発明の血液濾過器具において、上記フィルタは、親水性を有することが好ましい。これにより、フィルタによる血液の濾過が促進される。したがって、吸引血液が濾過部に溜まるのを抑制しつつ、濾過部における血液の濾過速度を向上することができる。
【００３２】
本発明の血液濾過器具は、上記中空部に載置される濾過器を備える構成であってもよい。上記の構成によれば、第１筒状体の内部に設けられる濾過部とは別に、中空部に濾過器が載置される。したがって、吸引具により吸引された血液を濾過する領域を増やすことができる。
【発明の効果】
【００３３】
本発明は、血液の濾過作業と、血液の泡や洗浄液などの吸引具内の廃棄物の回収作業とを迅速に行うことのできる血液濾過器具を提供することができるという効果を奏する。
【図面の簡単な説明】
【００３４】
【図１】本発明の実施形態１に係る血液濾過器具の斜視図である。
【図２】図１の血液濾過器具を廃液回収容器に設置した様子を示す断面図である。
【図３】図１の血液濾過器具の上面図である。
【図４】図１の血液濾過器具の断面図であり、図３のＡ−Ａ矢視断面図である。
【図５】図１の血液濾過器具の断面図であり、図３のＢ−Ｂ矢視断面図である。
【図６】図１の血液濾過器具の底面図である。
【図７】（ａ）は図１の血液濾過器具が備える拡張縁部材の平面図であり、（ｂ）は拡張縁部材の開口部に第１筒状体をはめ込んだ状態を示す断面図である。
【図８】図１の血液濾過器具の変形例を示す上面図である。
【図９】本発明の実施形態２に係る血液濾過器具の上面図である。
【図１０】本発明の実施形態３に係る血液濾過器具の斜視図である。
【図１１】図１０の血液濾過器具の上面図である。
【図１２】図１０の血液濾過器具の断面図であり、図１１のＣ−Ｃ矢視断面図である。
【図１３】本発明の実施形態４に係る血液濾過器具の構成を示す斜視図である。
【図１４】図１３の血液濾過器具の上面図である。
【図１５】図１３の血液濾過器具の断面図であり、図１４のＤ−Ｄ矢視断面図である。
【図１６】図１３の血液濾過器具の断面図であり、図１４のＥ−Ｅ矢視断面図である。
【発明を実施するための形態】
【００３５】
〔実施形態１〕
以下、本発明の実施形態１における血液濾過器具１Ａについて、図１〜図７に基づいて説明する。
【００３６】
図２は、実施形態１における血液濾過器具１Ａを廃液回収容器（容器）Ｗに載置した様子を示す断面図である。図２に示すように、血液濾過器具１Ａは、廃液回収容器Ｗの上部の開口に載置され、カテーテルなどの吸引具により体内から吸引された血栓を含む血液を濾過する。これにより、血液に含まれる血栓は血液濾過器具１Ａに採取され、濾過された血液は廃液回収容器Ｗに回収される。
【００３７】
以下では、血液濾過器具１Ａを用いて血液が濾過される方向を血液濾過器具１Ａの上下方向として説明する。すなわち、図２のように血液濾過器具１Ａを廃液回収容器Ｗに設置した状態において、廃液回収容器Ｗの開口側を血液濾過器具１Ａの上部（上方）、廃液回収容器Ｗの底部側を血液濾過器具１Ａの下部（下方）とする。
【００３８】
（血液濾過器具１Ａの構成）
次に、図１、図３〜図５を参照して、実施形態１における血液濾過器具１Ａの構成について説明する。図１は、血液濾過器具１Ａの斜視図である。図３は、血液濾過器具１Ａの上面図である。図４は、図３の血液濾過器具１ＡにおけるＡ−Ａ矢視断面図である。図５は、図３の血液濾過器具１ＡにおけるＢ−Ｂ矢視断面図である。
【００３９】
図１、３、および４に示すように、血液濾過器具１Ａは、中空の第１筒状体２を基本構成として備えている。さらに、血液濾過器具１Ａは、第１筒状体２の内部に、吸引具によって吸引された血液を濾過する濾過部３と、第１筒状体２の軸２ｃ方向に設けられた中空の第２筒状体４とが形成されている。また、図１，３に示すように、濾過部３は、仕切り部５によって４つ区域に仕切られている。このように、血液濾過器具１Ａは、第１筒状体２の中央部に第２筒状体４が形成され、第２筒状体４の周囲に仕切り部５で４つの区域に仕切られた濾過部３が形成され、さらに第１筒状体２の上部の外周全域に縁部７が形成された構成である。以下、各部の構成について詳細に説明する。
【００４０】
（第１筒状体２）
第１筒状体２は、血液濾過器具１Ａの本体である。図４に示すように、第１筒状体２は、上部側の開口部である第１開口部２ｄと、下部側の開口部である第２開口部２ｅと、第１開口部２ｄから第２開口部２ｅにかけて形成された周壁部２ｆとから構成されている。本実施形態では、図１および図３に示すように、第１筒状体２は、第１筒状体２の軸方向（軸２ｃ）に対して垂直方向の断面が、軸２ｃを中心とした円形状となっている。つまり、第１開口部２ｄおよび第２開口部２ｅ（図４参照）の形状は、いずれも円形状である。なお、このような第１筒状体２の断面形状（第１開口部２ｄおよび第２開口部２ｅの形状）は、円形状に限定されるものではなく、例えば、六角形や八角形などの多角形であってもよい。
【００４１】
また、本実施形態では、下部側の第２開口部２ｅの面積は、上部側の第１開口部２ｄよりも狭くなっている。さらに、第１筒状体２の内周面の幅（径）は、下部（第２開口部２ｅ）から上部（第１開口部２ｄ）に向かって、漸次幅広になっている。しかし、第１筒状体２の内周面の幅（径）は、均一であってもよい。
【００４２】
第１筒状体２の第１開口部２ｄの周囲には、全周にわたって第１筒状体２の上端部から外周方向に延設された縁部７が設けられている。縁部７は、血液濾過器具１Ａを廃液回収容器Ｗに載置するためのものである。すなわち、縁部７の下面を廃液回収容器Ｗの上端部に接触させることにより、血液濾過器具１Ａが廃液回収容器Ｗに載置される（図２参照）。
【００４３】
なお、本実施形態において縁部７は、第１筒状体２の上端部２ａの外面から外周方向に一定の距離延設された形状である。このため、縁部７の外周の形状は、軸２ｃを中心とし、第１開口部２ｄよりも直径が大きい円形状となっている。縁部７の形状は、円形状に限定されるものではなく、例えば、血液濾過器具１Ａを上方から見たときに、六角形や八角形などの多角形になるように、縁部を設けてもよい。
【００４４】
第１筒状体２は、例えば、ポリプロピレン、ポリエチレン、ポリカーボネイトあるいはＡＢＳ等の任意の合成樹脂により形成することができる。
【００４５】
（濾過部３）
一方、濾過部３は、第１筒状体２の底面部に設けられたメッシュ（フィルタ）６を有している。より詳細には、濾過部３は、第１筒状体２の内面、メッシュ６、および第２筒状体４の外面によって形成される空間である。カテーテルなどの吸引具により体内から吸引された血栓を含む血液がこの空間（濾過部３）に注入されると、メッシュ６によって血液が濾過され、メッシュ６上に血栓が残り、濾過された血液が廃液回収容器Ｗに回収される。メッシュ６は、血液濾過器具１Ａの上下方向（第１筒状体２の軸２ｃの方向）に、血液を濾過する。なお、必要に応じて濾過部３において、吸引された血液以外の洗浄液などが濾過されてもよい。
【００４６】
本実施形態では、濾過部３は、仕切り部５によって４つ区域に仕切られている。これにより、吸引具によって複数回血液を吸引する場合に、各回で採取された血液を異なる区域で濾過し、各回の血栓を採取することができる。したがって、血栓が採取されなくなる回の把握が容易になるため、治療の終了を適切に決定することができる。
【００４７】
本実施形態では、メッシュ６の大きさ（目開き）は、１６０μｍ×１６０μｍである。メッシュ６の大きさ（目開き）は特に限定されるものではないが、１００μｍ以上４００μｍ以下であることが好ましい。メッシュ６の大きさ（目開き）は、例えば、濾過すべき血栓のサイズおよび血液の濾過速度等を考慮して任意の大きさに設定することができる。
【００４８】
また、メッシュ６は、親水性を有することが好ましい。ここで、メッシュ６が親水性を有するとは、メッシュ６の表面が、水になじみやすい状態になっていることを意味する。例えば、メッシュ６が親水性を有する材料から形成されていれば、メッシュ６が親水性を有する。メッシュ６は、例えば、ナイロン、ポリエチレン、ポリプロピレン、ポリエチレンテレフタレート等の合成樹脂から形成することができる。メッシュ６が親水性を有していれば、メッシュ６による血液の濾過が促進される。したがって、吸引血液が濾過部３に溜まるのを抑制しつつ、濾過部３における血液の濾過速度を向上することができる。
【００４９】
また、メッシュ６に親水性を付与するために、メッシュ６の一部または全体、あるいは濾過部３の一部または全体に、親水化処理を施してもよい。すなわち、メッシュ６の一部または全体、あるいは血液濾過器具１Ａまたは濾過部３の一部または全体に、親水化処理層（親水性領域）が形成されていてもよい。また、血液濾過器具１Ａ自体が、親水性を有する材料から形成されていてもよい。通常、材料の表面に水を滴下した場合、表面張力により材料の表面に水滴が形成される。この水滴を種々の方法を用いて材料の表面に馴染ませる処理を、親水化処理という。親水化処理は、例えば、帯電防止処理、プラズマ処理、または湿式化学的界面活性剤（wet chemical surfactants）処理などが挙げられるが、これらに限定されるものではない。例えば、メッシュ６に帯電防止処理を施した場合、メッシュ６が親水性を有するだけでなく、静電気によってメッシュ６にゴミおよびホコリが付着するのを防止することができる。一方、メッシュ６にプラズマ処理を施した場合、メッシュ６の表面における血液の接触角が小さくなるため、血液がメッシュ６を通過しやすくなる。
【００５０】
また、本実施形態では、メッシュ６は第１筒状体２の底面部にのみ設けられているが、メッシュ６を設ける位置は、第１筒状体２の内周面（側面部）など第１筒状体２の内部であれば特に限定されるものではない。ただし、メッシュ６が第１筒状体２の底面部に設けられていれば、濾過部３の容積が大きくなるため、血液の濾過速度を向上することができると共に、濾過部３から血液が溢れることを低減することができる。また、本実施形態のように、メッシュ６が第１筒状体２の底面部にのみ設けられており、第１筒状体２の内周面には設けられていない場合、濾過する血液は、第１筒状体２の底面部でのみ濾過される。その結果、メッシュ６が第１筒状体２の底面部および内周面に設けられている場合よりも、第１筒状体２の底面部でのメッシュ６による濾過が促進される。したがって、濾過する血液が濾過部３に溜まるのを抑制しつつ、濾過部３における濾過速度を向上することができる。それゆえ、メッシュ６は第１筒状体２の底面部にのみ設けられていることが好ましい。第１筒状体２の底面部にメッシュ６を設ける場合、メッシュ６は第１筒状体２の内周面の下方端部に設けられてもよく、前記下方端部よりも上方に設けられていてもよい。また、メッシュ６は、第１筒状体２の内周面の上下方向における中央部に設けられていてもよい。
【００５１】
（第２筒状体４）
第２筒状体４は、第１筒状体２の中央部に形成された中空部材から構成されており、濾過部３の各区域に隣接している。第２筒状体４は、第１筒状体２の軸２ｃを中心軸とし、第１筒状体２と同心円状に形成されている。第２筒状体４の幅（径）は均一である。第２筒状体４は、第１筒状体２と同様に、軸方向（軸２ｃ）に対して垂直方向の断面が、軸２ｃを中心とした円形状となっている。なお、このような第２筒状体４の断面形状は、円形状に限定されるものではなく、例えば、六角形や八角形などの多角形であってもよい。
【００５２】
上述した濾過部３には、第１筒状体２の底面部にメッシュ（フィルタ）６が設けられている。一方、第２筒状体４には、メッシュ（フィルタ）が設けられていない。このため、図２に示すように、血液濾過器具１Ａを廃液回収容器Ｗに載置したときに、第２筒状体４が、第１筒状体２の軸方向に、メッシュ（フィルタ）を有さない中空部を構成する。第２筒状体４は、濾過部３によって血液を濾過する方向と同一方向に形成されている。したがって、第２筒状体４は、血液の泡や洗浄液などの吸引具内の廃棄物を廃棄する廃棄部として利用することができる。すなわち、第２筒状体４は、吸引具による血栓の吸引に伴って吸引具内に発生する血液の泡や吸引具を洗浄した後の洗浄液などの吸引具内の廃棄物を廃棄するための廃棄経路となる。なお、「吸引具内の廃棄物」は、吸引具内に発生する血液の泡、吸引具内の洗浄液に限定されるものではなく、吸引具内に残った血液（濾過部３で濾過する必要のない血液）、その血液に含まれる血栓等も含まれる。したがって、「吸引具内の廃棄物」には、液体だけでなく固体も包含される。
【００５３】
このように、第２筒状体４は、メッシュ６が血液を濾過する方向と同じ方向に、血液濾過器具１Ａの上下方向（第１筒状体２の軸２ｃの方向）に、血液の泡や洗浄液などの廃棄物を廃棄する廃棄経路を形成している。
【００５４】
次に、図４および図５に基づいて、第２筒状体４の高さについて説明する。図５は、血液濾過器具１Ａの断面図であり、図３におけるＢ−Ｂ矢視断面図である。
【００５５】
図４に示すように、第２筒状体４の上端部４ａは、第１筒状体２の上端部２ａよりも低い位置に存在する。すなわち、第２筒状体４の上端部４ａの高さが、第１筒状体２の上端部２ａの高さよりも低くなっている。これにより、濾過部３に容量以上の血液が注入されたとしても、注入された血液は、第１筒状体２の上端部２ａを超える前に、第２筒状体４の上端部４ａを越えて廃棄される。したがって、血液が第１筒状体２の上端部２ａから外部に漏れ、血液濾過器具１Ａの周りが汚れるのを防ぐことができる。
【００５６】
さらに、図５に示すように、仕切り部５は、第１筒状体２の内周面および底部から第２筒状体４の外面にかけて形成されており、仕切り部５は第２筒状体４に接続されている。しかも、第２筒状体４の上端部４ａは、仕切り部５の上端部５ａよりも低い位置に存在する。すなわち、第２筒状体４の上端部４ａの高さが、仕切り部５の上端部５ａの高さよりも低くなっている。これにより、仕切り部５によって仕切られた濾過部３の区域に、その区域の容量以上の血液が注入されたとしても、注入された血液は、仕切り部５の上端部５ａを超える前に、第２筒状体４の上端部４ａを越えて廃棄される。したがって、隣接する濾過部３の区域に血液が溢れるのを防ぐこと、および／または、血液が第１筒状体２の上端部２ａから外部に漏れるのを防ぐことができる。
【００５７】
また、図５に示すように、血液濾過器具１Ａでは、仕切り部５の上端部５ａは、第１筒状体２の上端部よりも低い位置に設けられている。これにより、仕切り部５によって仕切られた濾過部３の区域に、その区域の容量以上の血液が注入されたとしても、注入された血液は、第１筒状体２の上端部２ａを超える前に、仕切り部５の上端部５ａを越えて、濾過部３の隣の区域に流れる。したがって、血液が第１筒状体２の上端部２ａから外部に漏れ、血液濾過器具１Ａの周りが汚れるのを防ぐことができる。
【００５８】
また、本実施形態の第２筒状体４の形状は、円筒状である。ここで、第２筒状体４の開口部の面積は、特に限定されるものではないが、第２筒状体４の開口部の面積を広くすれば、血液の泡や洗浄液などの廃棄物の廃棄をスムーズに行うことができる。一方、第２筒状体４の開口部の面積を狭くすれば、濾過部３の容量が大きくなるため、濾過速度を向上することができる。
【００５９】
また、第２筒状体４の幅（内径）は、カテーテルを洗浄するためのシリンジの外筒の外径よりも大きいことが好ましい。これにより、第２筒状体４の内部に、シリンジを第２筒状体４に挿入することができる。その結果、シリンジの先端を廃液回収容器Ｗの内部に位置させることができるので、シリンジ内部の廃液を確実に廃液回収容器Ｗに回収することができる。また、シリンジを使用しないときは、シリンジを第２筒状体４内に保持することができるため、シリンジを置くスペースが不要になる。
【００６０】
また、第２筒状体４には、第１筒状体２の内部に設けられた濾過部３とは別個の濾過器（図示せず）を載置することもできる。すなわち、血液濾過器具１Ａは、第２筒状体４の内径よりも小さい外径を有する濾過器（フィルタ）を、第２筒状体４の上端部４ａに載置する構成であってもよい。これにより、吸引具により吸引された血液を濾過する領域を増やすことができる。例えば、血栓を吸引する回数が、仕切り部５によって仕切られた濾過部３の区域の数よりも多く、毎回血栓の吸引状況を確認する場合に、第２筒状体４に載置された濾過器を用いることができる。したがって、血栓を吸引する回数が多くなっても、血液を濾過することができる。
【００６１】
なお、第２筒状体４に載置された濾過器を用いて血液を濾過する必要がない場合には、第２筒状体４から濾過器を取り外せばよい。つまり、第２筒状体４に載置する濾過器は、第２筒状体４に着脱可能になっていることが好ましい。
【００６２】
また、第２筒状体４は、第１筒状体２と同様に、例えば、ポリプロピレン、ポリエチレン、ポリカーボネイトあるいはＡＢＳ等の任意の合成樹脂により形成することができる。
【００６３】
（突出部８）
次に、図２、図３、図４、および図６に基づいて、縁部７に形成された突出部８について説明する。図６は、実施形態１における血液濾過器具１Ａの底面図である。
【００６４】
図２に示すように、血液濾過器具１Ａは、廃液回収容器Ｗの上部の開口に載置される。通常、血液濾過器具１Ａは、中心軸（図１、図４の軸２ｃ）が、廃液回収容器Ｗの中心軸にほぼ一致するように配置される。具体的には、第１筒状体２の上部の外周に形成された縁部７の下面が、廃液回収容器Ｗの上部の開口に載置され、第１筒状体２が廃液回収容器Ｗの内側に配置される。このため、廃液回収容器Ｗの開口の内径は、血液濾過器具１Ａの第１筒状体２の外径よりも大きい。しかし、廃液回収容器Ｗの開口の内径が第１筒状体２の外径よりも大きすぎると、血液濾過器具１Ａの中心軸と廃液回収容器Ｗの中心軸とが相対的にずれてしまう。その結果、血液濾過器具１Ａの載置状態が不安定になったり、場合によっては、第１筒状体２の縁部７の一部が廃液回収容器Ｗから脱落し、廃液回収容器Ｗの内部に配置されてしまう。
【００６５】
そこで、血液濾過器具１Ａでは、図３および図４に示すように、第１筒状体２の縁部７の下面には、第１筒状体２から下方に突出した突出部８が設けられている。本実施形態では、突出部８は、仕切り部５で仕切られた濾過部３の区域ごとに等間隔に４カ所設けられている。
【００６６】
このように、本実施形態の血液濾過器具１Ａでは、第１筒状体２の上端部２ａから外周方向に延設された縁部７に、突出部８が形成されている。これにより、第１筒状体２の外周面よりも大きいサイズの廃液回収容器Ｗに、血液濾過器具１Ａを載置したときに、廃液回収容器Ｗの側壁の内面または外面に突出部８が接することによって、血液濾過器具１Ａと廃液回収容器Ｗとの間の相対的な位置ずれを低減することができる。つまり、血液濾過器具１Ａと廃液回収容器Ｗとの間の相対的な位置ずれが生じたとしても、突出部８が廃液回収容器Ｗの側壁に接することによって、突出部８が位置ずれを低減するストッパとして機能する。また、廃液回収容器Ｗに対する血液濾過器具１Ａの突出部８の配置状態を変えることによって、使用できる廃液回収容器Ｗのサイズの種類を増やすこともできる。廃液回収容器Ｗが歪んでいる場合や、血液濾過器具１Ａの中心軸（軸２ｃ）と廃液回収容器Ｗの中心軸とがずれて配置されている場合、血液濾過器具１Ａと廃液回収容器Ｗとは、水平方向の中心が一致しない。このような場合においても、突出部８が形成されていれば、突出部８により廃液回収容器Ｗに対する血液濾過器具１Ａの載置位置を調整することができる。すなわち、血液濾過器具１Ａは、多様な形状、多様なサイズの廃液回収容器Ｗに安定して載置することができる。また、廃液回収容器Ｗとしてビーカーを用いる場合、ビーカーの注ぎ口に突出部８が配置されないように、血液濾過器具１Ａを廃液回収容器Ｗに載置することが好ましい。これにより、突出部８がビーカーの注ぎ口を遮らないため、ビーカーに回収された廃液をビーカーの注ぎ口から容易に排出することができる。
【００６７】
次に、図６を参照して、縁部７および突出部８を設ける好ましい位置について説明する。図６に示すように、第１筒状体２の軸２ｃから第１筒状体２（周壁部２ｆ）の内面までの距離をＲ１、第１筒状体２の軸２ｃから突出部８の内面までの距離をＲ２、第１筒状体２の軸２ｃから縁部７の外周までの距離をＲ３、突出部８の幅をａ、隣り合う２つの突出部８の距離（最も近い突出部８の端部どうしの距離）をｂとする。このとき、縁部７および突出部８は、次の２つの式（１）および式（２）が成り立つように、設けられていることが好ましい。
（１）  ２×Ｒ２≧ｂ≧２（Ｒ２＋ａ−Ｒ１）
（２）  Ｒ３−ａ≧Ｒ２≧Ｒ１。
【００６８】
上記式（１）は、血液濾過器具１Ａを廃液回収容器Ｗに安定して載置するための、好ましい突出部８の条件を規定するものである。上記式（２）は、第１筒状体２の径方向における好ましい突出部８の条件を規定するものである。
【００６９】
したがって、上記式（１）および式（２）を満たすように血液濾過器具１Ａを設計することにより、多様な形状、多様なサイズの廃液回収容器Ｗに、血液濾過器具１Ａを安定して載置することができる。
【００７０】
さらに、本実施形態の血液濾過器具１Ａでは、縁部７の下に載置される拡張縁部材４０を備える構成であってもよい。図７の（ａ）は図１の血液濾過器具１Ａが備える拡張縁部材４０の平面図であり、図７の（ｂ）は拡張縁部材４０の開口部４１に第１筒状体２をはめ込んだ状態を示す断面図である。
【００７１】
図７の（ａ）に示すように、拡張縁部材４０には、第１筒状体２の外周の形状よりも大きく、縁部７の外周の形状よりも小さい開口部４１が形成されている。拡張縁部材４０の外周の形状は、縁部７の外周の形状よりも大きい形状である。なお、図７の（ａ）では、拡張縁部材４０は、四角形の各角が丸みを帯びており、その内部に開口部４１が形成された形状である。しかし、拡張縁部材４０の形状はこれに限定されるものではなく、環状であればよい。
【００７２】
図７の（ｂ）に示すように、開口部４１に、第１筒状体２をはめ込むことで、縁部７の下に拡張縁部材４０が配置され、拡張縁部材４０も縁部７として機能する。つまり、血液濾過器具１Ａは、より大きい面積の縁部７を備えることなる。これにより、血液濾過器具１Ａの縁部７の外径よりも大きな内周を持つ廃液回収容器Ｗに対しても血液濾過器具１Ａを載置することが可能となる。また、廃液回収容器Ｗの上端部に接する部分の面積が大きくなることで、血液濾過器具１Ａを廃液回収容器Ｗに安定して載置することができる。
【００７３】
（血液濾過器具１Ａのまとめ）
以上のように、本実施形態の血液濾過器具１Ａは、第１筒状体２の内部に、吸引具によって吸引された血液を濾過する濾過部３と、メッシュ（フィルタ）を有さない中空の第２筒状体４とが形成されている。これにより、血液濾過器具１Ａの形状が、血液濾過器具１Ａを廃液回収容器Ｗに載置したときに、第２筒状体４によって、第１筒状体の軸方向に、メッシュ（フィルタ）を有さない中空部が形成されるような形状となっている。この中空部（第２筒状体４）は、濾過部３によって血液を濾過する方向と同一方向に形成される。したがって、この中空部（第２筒状体４）は、濾過部３とは別の用途に利用することができ、特に、血液の泡や洗浄液などの吸引具内の廃棄物を廃棄する廃棄部（廃液経路）として利用することができる。しかも、この中空部（第２筒状体４）にはフィルタが設けられていないため、血液の泡や洗浄液などの廃棄物の廃棄作業を迅速に行うことができる。
【００７４】
すなわち、本実施形態では、血液濾過器具１Ａに、血液を濾過する濾過部３と、血液の泡や洗浄液などの吸引具内の廃棄物を廃棄する廃棄部（廃液経路）として利用できる中空部（第２筒状体４）とが別個に設けられている。また、血液を濾過する方向および吸引具内の廃棄物を廃棄する方向は、いずれも第１筒状体２の軸方向（軸２ｃの方向）であり、同一である。これにより、血液濾過器具１Ａを廃液回収容器Ｗに載置した状態で、血液の濾過作業と、血液の泡や洗浄液などの廃棄物の廃棄作業とを行うことができる。このため、廃液回収容器Ｗを交換する作業も、廃液回収容器Ｗから血液濾過器具１Ａを取り外す作業も不要である。したがって、血液の濾過作業と、血液の泡や洗浄液などの廃棄物の回収作業とを迅速に行うことができる。
【００７５】
また、本実施形態では、上記中空部は、第１筒状体２の内部に設けられた中空の第２筒状体４によって形成される構成であるため、第２筒状体４から、血液の泡や洗浄液などの廃棄物を廃棄することができる。
【００７６】
なお、本実施形態では、濾過部３が、仕切り部５によって４つの区域に仕切られているが、区域の数はこれに限定されるものではない。すなわち、濾過部３の区域は１つでもよく、２つ以上でもよい。ただし、カテーテルなどの吸引具を用いた吸引による血栓の回収では、通常２回以上の吸引を行うため、濾過部３を少なくとも２つの区域に仕切る仕切り部５を設けることが好ましい。また、第２筒状体４（中空部）も１つではなく、２つ以上設けてもよい。
【００７７】
また、血液濾過器具１Ａは、第１筒状体２の内周面の径が、上部から下部に向かって徐々に小さくなっている構成である。すなわち、第１筒状体２の内周面が、第１筒状体２の下部から上部に向かって幅広になっている。これにより、血液濾過器具１Ａを載置する廃液回収容器Ｗの開口部の内径が、第１筒状体２の上部側の第１開口部２ｄの外径と、第１筒状体２の下部側の第２開口部２ｅの外径との間である場合に、第１筒状体２の外周面が廃液回収容器Ｗの開口部に接する。したがって、多様なサイズの廃液回収容器Ｗに血液濾過器具１Ａを安定して載置することができる。また、この構成では、第１筒状体２の内周面の径が同一である場合よりも、フィルタ面に濾液（血液）からの圧力がかかるため、濾液が流れやすくなる。したがって、濾過部３における血液の濾過速度を向上することができる。さらに、第１筒状体２が上述した形状であれば、血液濾過器具１Ａを成形によって製造する際に、成形後の血液濾過器具１Ａを成形機の金型から取り出しやすくなる。
【００７８】
（変形例）
血液濾過器具１Ａの変形例である血液濾過器具１Ａ’について、図８を参照して説明する。なお、説明の便宜上、血液濾過器具１Ａの説明において説明した部材と同じ機能を有する部材については、同じ符号を付記し、その説明を省略する。
【００７９】
図８は、血液濾過器具１Ａ’の上面図である。図８に示すように、血液濾過器具１Ａ’は、血液濾過器具１Ａとは、縁部７’の形状が異なっている。すなわち、血液濾過器具１Ａでは、縁部７は、第１筒状体２の上端部２ａの全周にわたって、上端部２ａから外周方向に一定の距離延設されていた。
【００８０】
これに対して、血液濾過器具１Ａ’では、縁部７’が第１筒状体２の上端部２ａの全周ではなく部分的に延設されている。すなわち、血液濾過器具１Ａ’の縁部７’は、血液濾過器具１Ａの縁部７において、突出部８が形成されていない領域が欠落した構成である。縁部７’は、仕切り部５によって仕切られた濾過部３の区域ごとに４箇所形成されている。
【００８１】
これにより、廃液回収容器Ｗの内径が第１筒状体２の外形よりも大きい場合に、上方から廃液回収容器Ｗの内部に溜まっている廃液の量を確認することができる。また、血液濾過器具１Ａ’を廃液回収容器Ｗに載置した状態で、廃液回収容器Ｗに回収された血液の泡や洗浄液などの廃棄物を縁部７’のない領域から、容易に排出することもできる。
【００８２】
なお、血液濾過器具１Ａ’では、縁部７’を設ける数は４つであるが、これに限られるものではない。例えば、縁部７’を設ける数は２つでもよいし、３つ以上でもよい。
【００８３】
〔実施形態２〕
本発明の他の実施形態について、図９を参照して説明する。なお、説明の便宜上、前記実施形態において説明した部材と同じ機能を有する部材については、同じ符号を付記し、その説明を省略する。
【００８４】
本実施形態の血液濾過器具１Ｂは、廃棄部の構成が前記実施形態の血液濾過器具１Ａとは異なっている。
【００８５】
図９は、本実施形態における血液濾過器具１Ｂの上面図である。図９に示すように、血液濾過器具１Ｂは、第１筒状体２の内部が仕切り部５によって、４つの区域に仕切られている。さらに、４つの区域のうち３つの区域には、メッシュ６が設けられており、残り１つの区域には、メッシュ６が設けられておらず切欠部１４になっている。切欠部１４は、第１筒状体２の軸２ｃの方向に形成されている。このため、血液濾過器具１Ｂを廃液回収容器Ｗに載置したときに、切欠部１４が、メッシュ（フィルタ）を有さない中空部を構成する。切欠部１４は、濾過部３によって血液を濾過する方向と同一方向に形成されている。したがって、切欠部１４は、血液の泡や洗浄液などの吸引具内の廃棄物を廃棄する廃棄部（廃棄経路）として利用することができる。すなわち、切欠部１４の領域（メッシュ６が設けられていない区域）が、吸引具による血栓の吸引に伴って発生する血液の泡や吸引具を洗浄した後の洗浄液などの廃棄物を廃棄するための廃棄経路となる。このように、濾過部３のメッシュ６の面に形成されたメッシュ６の設けられていない区域が切欠部１４を構成し、切欠部１４が中空部を構成している。一方、メッシュ６の設けられた区域が濾過部３を構成している。
【００８６】
以上のように、本実施形態の血液濾過器具１Ｂも、血液濾過器具１Ａと同様に、血液を濾過する濾過部３と、血液の泡や洗浄液などの吸引具内の廃棄物を廃棄部（廃棄経路）として利用できる中空部（切欠部１４）とが別個に設けられている。また、血液を濾過する方向および吸引具内の廃棄物を廃棄する方向は、いずれも第１筒状体２の軸方向（軸２ｃの方向）であり、同一である。したがって、血液の濾過作業と、血液の泡や洗浄液などの吸引具内の廃棄物の回収作業とを迅速に行うことができる。
【００８７】
また、血液濾過器具１Ｂでは、中空部は、濾過部３のメッシュ６の面に形成された切欠部１４によって形成される構成されているため、切欠部１４から、血液の泡や洗浄液などの廃棄物を廃棄することができる。
【００８８】
また、図示しないが、血液濾過器具１Ｂでは、仕切り部５の上端部は、第１筒状体２の上端部よりも低い位置に設けられていることが好ましい。これにより、仕切り部５によって仕切られた濾過部３の区域に、その区域の容量以上の血液が注入されたとしても、注入された血液は、第１筒状体２の上端部２ａを超える前に、仕切り部５の上端部を越えて切欠部１４から廃棄される。したがって、血液が第１筒状体２の上端部から外部に漏れ、血液濾過器具１Ｂの周りが汚れるのを防ぐことができる。
【００８９】
〔実施形態３〕
本発明の他の実施形態について、図１０〜図１２を参照して説明する。なお、説明の便宜上、前記実施形態において説明した部材と同じ機能を有する部材については、同じ符号を付記し、その説明を省略する。
【００９０】
図１０は、実施形態３における血液濾過器具１Ｃの斜視図である。図１１は、実施形態３における血液濾過器具１Ｃの上面図である。図１２は、血液濾過器具１Ｃの断面を示すものであり、図１１におけるＣ−Ｃ矢視断面図である。
【００９１】
図１０に示すように、血液濾過器具１Ｃは、実施形態１の血液濾過器具１Ａを軸２ｃ方向に均等に４分割したうちの、１つ分の領域を欠落させた構成とほぼ同一である。
【００９２】
具体的には、血液濾過器具１Ｃは、筒状体２２（第１筒状体）を基本構成として備えている。筒状体２２は、円筒を円筒の軸２２ｃ方向に４分割したうちの１つ分の領域を切り欠いた切欠部２４が形成された構成である。切欠部２４は、筒状体２２の軸２２ｃの方向に形成されている。このため、血液濾過器具１Ｃを廃液回収容器Ｗに載置したときに、切欠部２４と廃液回収容器Ｗの内壁とによって、軸２２ｃの方向にメッシュ（フィルタ）を有さない中空部が形成される。切欠部２４は、濾過部３によって血液を濾過する方向と同一方向に形成されている。したがって、切欠部２４は、血液の泡や洗浄液などの吸引具内の廃棄物を廃棄する廃棄部（廃棄経路）として利用することができる。
【００９３】
より詳細には、図１２に示すように、筒状体２２は、上部側の開口部である第１開口部２２ｄと、下部側の開口部である第２開口部２２ｅと、第１開口部２２ｄから第２開口部２ｅにかけて形成された第１周壁部２２ｆおよび第２周壁部２２ｇとを備えている。第１周壁部２２ｆは、筒状体２２のうち円筒部分を構成し、第２周壁部２２ｇは、筒状体２２の外周部に形成された切欠部２４を構成している。
【００９４】
血液濾過器具１Ｃは、筒状体２２の内部に形成された濾過部３が、仕切り部５によって３つの区域に仕切られている。また、筒状体２２の外周部には、筒状体２２の第１周壁部２２ｆの外面から外周方向に延設された縁部７が設けられている。
【００９５】
図１１および図１２に示すように、縁部７には、縁部７から下方に突出した突出部２８ａ〜２８ｄが形成されている。突出部２８ａは、互いに対向する濾過部３の区域に対応して、２つ設けられており、軸２２ｃを中心とする同心円状に設けられている。２つの突出部２８ａは、筒状体２２の軸２２ｃを中心とする対称の位置に配置されている。突出部２８ｂ〜２８ｄは、切欠部２４と対向する濾過部３の区域に対応して、軸２２ｃを中心とする同心円状に設けられている。突出部２８ｂ〜２８ｄは、軸２２ｃに近い側から、突出部２８ｃ、突出部２８ｂ、突出部２８ｄの順に設けられている。突出部２８ｂは、突出部２８ａと同一円周２９上に設けられている。
【００９６】
図１２に示すように、第２周壁部２２ｇの上端部２２ｇａは、第１周壁部２２ｆの上端部２２ｆａよりも低い位置に存在する。すなわち、第２周壁部２２ｇの上端部２２ｇａの高さが、第１周壁部２２ｆの上端部２２ｆａよりも低くなっている。これにより、濾過部３に容量以上の血液が注入されたとしても、注入された血液は、第１周壁部２２ｆの上端部２２ｆａを超える前に、第２周壁部２２ｇの上端部２２ｇａを越えて切欠部２４から廃棄される。したがって、血液が第１周壁部２２ｆの上端部２２ｆａから外部に漏れ、血液濾過器具１Ｃの周りが汚れるのを防ぐことができる。
【００９７】
前記実施形態における血液濾過器具１Ａおよび血液濾過器具１Ｂでは、血液濾過器具を廃液回収容器Ｗに載置する場合、４つの突出部８が廃液回収容器Ｗに接することによって廃液回収容器Ｗを支持することができるので、安定的に血液濾過器具１Ａ、１Ｂを廃液回収容器Ｗに載置することができた。
【００９８】
しかしながら、血液濾過器具１Ｃでは、筒状体２２の外周部に切欠部２４が形成されている。このため、縁部７にも切欠部２４が存在するといえる。その結果、血液濾過器具１Ｃでは、血液濾過器具１Ａおよび血液濾過器具１Ｂにおける突出部８の数が少なくなっている。
【００９９】
そこで、血液濾過器具１Ｃでは、筒状体２２の軸２２ｃに対して、切欠部２４の反対側の縁部７には、３つの突出部（突出部２８ｂ、突出部２８ｃおよび突出部２８ｄ）が、筒状体２２の半径方向に設けられている。これにより、第１周壁部２２ｆと突出部２８ｃとの間、突出部２８ｃと突出部２８ｂとの間、または、突出部２８ｂと突出部２８ｄとの間に、廃液回収容器Ｗの開口部を位置させることができるので、安定的に血液濾過器具１Ｃを廃液回収容器Ｗに載置することができるようになっている。また、上記の構成によって、様々な大きさの廃液回収容器Ｗに血液濾過器具１Ｃを載置できるようになっている。
【０１００】
以上のように、本実施形態の血液濾過器具１Ｃも、血液濾過器具１Ａ、１Ｂと同様に、血液を濾過する濾過部３と、血液の泡や洗浄液などの吸引具内の廃棄物を廃棄部（廃棄経路）として利用できる中空部（切欠部２４）とが別個に設けられている。また、血液を濾過する方向および吸引具内の廃棄物を廃棄する方向は、いずれも筒状体２２の軸方向（軸２２ｃの方向）であり、同一である。したがって、血液の濾過作業と、血液の泡や洗浄液などの吸引具内の廃棄物の回収作業とを迅速に行うことができる。
【０１０１】
また、血液濾過器具１Ｃでは、中空部は、筒状体２２の外周部に形成された切欠部２４によって形成される構成されているため、切欠部２４から、血液の泡や洗浄液などの廃棄物を廃棄することができる。また、血液濾過器具１Ｃを廃液回収容器Ｗに載置した状態で、廃液回収容器Ｗを傾けることにより、廃液回収容器Ｗに回収された血液の泡や洗浄液などの廃棄物を、切欠部２４から容易に排出することもできる。
【０１０２】
〔実施形態４〕
本発明の他の実施形態について、図１３〜図１６を参照して説明する。なお、説明の便宜上、前記実施形態において説明した部材と同じ機能を有する部材については、同じ符号を付記し、その説明を省略する。
【０１０３】
図１３は、実施形態４における血液濾過器具１Ｄの斜視図である。図１４は、血液濾過器具１Ｄの上面図である。図１５は、血液濾過器具１Ｄの断面を示すものであり、図１４におけるＤ−Ｄ矢視断面図である。
【０１０４】
図１３〜図１５に示すように、本実施形態における血液濾過器具１Ｄは、中空の第１筒状体３２を基本構成として備えている。さらに、血液濾過器具１Ｄは、第１筒状体３２の内部に、吸引具によって吸引された血液を濾過する濾過部３３と、第１筒状体３２の軸３２ｃ方向に設けられた中空の第２筒状体３４とが形成されている。また、図１３、図１４に示すように、濾過部３３は、仕切り部３５によって４つ区域に仕切られている。このように、血液濾過器具１Ｄは、第１筒状体３２の中央部に第２筒状体３４が形成され、第２筒状体３４の周囲に仕切り部３５で４つの区域に仕切られた濾過部３３が形成され、さらに第１筒状体３２の中央部の外周全域に縁部７が形成された構成である。以下、各部の構成について詳細に説明する。
【０１０５】
図１５に示すように、第１筒状体３２は、一方の開口部である第１開口部３２ｄと、他方の開口部である第２開口部３２ｅと、第１開口部３２ｄから第２開口部３２ｅにかけて形成された周壁部３２ｆとを備えている。第１筒状体３２の周壁部３２ｆは、軸３２ｃに垂直な断面が軸３２ｃを中心とした円形となっている。
【０１０６】
なお、本実施形態では、便宜上、第１開口部３２ｄ側を上方、第２開口部３２ｅ側を下方と呼ぶ。
【０１０７】
第２筒状体３４は、第１筒状体３２の中央部に形成された中空部材から構成されており、濾過部３３の各区域に隣接している。第２筒状体３４は、第１筒状体３２の軸３２ｃを中心軸とし、第１筒状体２と同心円状に形成されている。
【０１０８】
濾過部３３には、第１筒状体３２の中央部にメッシュ（フィルタ）６が設けられている。一方、第２筒状体３４には、メッシュ（フィルタ）が設けられていない。このため、血液濾過器具１Ｄを廃液回収容器Ｗに載置したときに、第２筒状体３４が、第１筒状体３２の軸方向に、メッシュ（フィルタ）を有さない中空部を構成する。第２筒状体３４は、濾過部３３によって血液を濾過する方向と同一方向に形成されている。したがって、第２筒状体３４は、血液の泡や洗浄液などの吸引具内の廃棄物を廃棄する廃棄部として利用することができる。すなわち、第２筒状体３４は、吸引具による血栓の吸引に伴って発生する血液の泡や吸引具を洗浄した後の洗浄液などの廃棄物を廃棄するための廃棄経路となる。
【０１０９】
濾過部３３は、第１筒状体３２の中央部に設けられたメッシュ（フィルタ）６を有している。より詳細には、濾過部３３は、第１筒状体３２の内面、メッシュ６、および第２筒状体３４の外面によって形成される空間である。濾過部３３は、仕切り部３５によって４つの区域に仕切られている。本実施形態では、メッシュ６が第１筒状体３２の中央部に設けられているため、濾過部３３が第１開口部３２ｄ側および第２開口部３２ｅ側にそれぞれ形成される。同様に、仕切り部３５によって４つの区域も、第１開口部３２ｄ側および第２開口部３２ｅ側にそれぞれ形成される。したがって、血液濾過器具１Ｄは、第１開口部３２ｄ側および第２開口部３２ｅ側のどちらの方向からも、血液の濾過作業と、血液の泡や洗浄液などの廃棄作業とを行うことができる。
【０１１０】
図１５に示すように、第２筒状体３４の上端部３４ａは、第１筒状体３２の上端部３２ａよりも下方（第２開口部３２ｅ側）に位置している。これにより、第１開口部３２ｄ側から濾過作業を行う場合において、吸引した血液の量が多く、濾過部３３から血液が溢れた場合に、溢れた血液は溢れた血液は、第２筒状体３４の上端部３４ａを超えて第２筒状体３４に流れ込む。その結果、溢れた血液が第１筒状体３２の上端部３２ａ側から外部に漏れ、血液濾過器具１Ｄの周りが汚れることを防ぐことができるようになっている。
【０１１１】
同様に、第２筒状体３４の下端部３４ｂは、第１筒状体３２の下端部３２ｂよりも上方（第１開口部３２ｄ側）に位置している。これにより、第２開口部３２ｅ側から濾過作業を行う場合において、吸引した血液の量が多く、濾過部３３から血液が溢れた場合に、溢れた血液は溢れた血液は、第２筒状体３４の下端部３４ｂを超えて第２筒状体３４に流れ込む。その結果、溢れた血液が第１筒状体３２の下端部３２ｂ側から外部に漏れ、血液濾過器具１Ｄの周りが汚れることを防ぐことができるようになっている。
【０１１２】
血液濾過器具１Ｄでは、第１開口部３２ｄ側の第１筒状体３２の外径が、第２開口部３２ｅ側の第１筒状体３２の外径よりも大きくなっている。また、縁部７から下方（第２開口部３２ｅ側）に突出した突出部８が設けられている。突出部８は、縁部７の径方向において、第１開口部３２ｄ側の第１筒状体３２の外径よりも外周側に設けられている。上記の構成によれば、血液濾過器具１Ｄを廃液回収容器Ｗに載置する際に、第２開口部３２ｅ側を下面とした場合には、第２開口部３２ｅ側の第１筒状体３２の外周部、または突出部８が廃液回収容器Ｗに接することによって、血液濾過器具１Ｄを廃液回収容器Ｗに安定的に載置することができる。また、第１開口部３２ｄ側を下面とした場合には、第１開口部３２ｄ側の第１筒状体３２の外周部が廃液回収容器Ｗに接することによって、血液濾過器具１Ｄを廃液回収容器Ｗに安定的に載置することができる。すなわち、血液濾過器具１Ｄは、第１開口部３２ｄ側の第１筒状体３２の外周部、第２開口部３２ｅ側の第１筒状体３２の外周部、および突出部８の３箇所のいずれかの箇所が廃液回収容器Ｗに接することによって、血液濾過器具１Ｄを廃液回収容器Ｗに安定的に載置することができるようになっている。これにより、様々な大きさの廃液回収容器Ｗを使用することができる。
【０１１３】
図１６は、血液濾過器具１Ｄの断面図であり、図１４におけるＥ−Ｅ矢視断面図である。
【０１１４】
図１６に示すように、第２筒状体３４の上端部３４ａは、仕切り部３５の上端部３５ａよりも下方（第２開口部３２ｅ側）に位置している。これにより、第１開口部３２ｄ側から濾過作業を行う場合において、吸引した血液の量が多く、濾過部３３から血液が溢れた場合に、溢れた血液は溢れた血液は、第２筒状体３４の上端部３４ａを超えて第２筒状体３４に流れ込む。その結果、溢れた血液が第１筒状体３２の上端部３２ａ側から外部に漏れ、血液濾過器具１Ｄの周りが汚れることを防ぐことができるようになっている。
【０１１５】
同様に、第２筒状体３４の下端部３４ｂは、仕切り部３５の下端部３５ｂよりも上方（第１開口部３２ｄ側）に位置している。これにより、第２開口部３２ｅ側から濾過作業を行う場合において、吸引した血液の量が多く、濾過部３３から血液が溢れた場合に、溢れた血液は溢れた血液は、第２筒状体３４の下端部３４ｂを超えて第２筒状体３４に流れ込む。その結果、溢れた血液が第１筒状体３２の下端部３２ｂ側から外部に漏れ、血液濾過器具１Ｄの周りが汚れることを防ぐことができるようになっている。
【０１１６】
以上のように、本実施形態の血液濾過器具１Ｄも、血液濾過器具１Ａと同様に、血液を濾過する濾過部３と、血液の泡や洗浄液などの吸引具内の廃棄物を廃棄する廃棄部（廃液経路）として利用できる中空部（第２筒状体３４）とが別個に設けられている。また、血液を濾過する方向および吸引具内の廃棄物を廃棄する方向は、いずれも第１筒状体３２の軸方向（軸３２ｃの方向）であり、同一である。したがって、血液の濾過作業と、血液の泡や洗浄液などの廃棄物の回収作業とを迅速に行うことができる。
【０１１７】
また、血液濾過器具１Ｄでは、上記中空部は、第１筒状体３２の内部に設けられた中空の第２筒状体３４によって形成される構成であるため、第２筒状体３４から、血液の泡や洗浄液などの廃棄物を廃棄することができる。
【０１１８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１１９】
１Ａ〜１Ｄ、１Ａ’  血液濾過器具
２，２２，３２      第１筒状体
３                  濾過部
４                  第２筒状体（中空部）
４ａ                上端部（第２筒状体の上端部）
５                  仕切り部
５ａ                上端部（仕切り部の上端部）
６                  メッシュ（フィルタ）
７，７’            縁部
８                  突出部
１４                切欠部（中空部、濾過部のフィルタ面に形成された切欠部）
２２                筒状体（第１筒状体）
２２ｃ              軸
２２ｆａ            上端部（第１筒状体の上端部）
２２ｇａ            上端部（切欠部の上端部）
２４                切欠部（中空部、第１筒状体の外周部に形成された切欠部）
２８ａ〜２８ｄ      突出部
３２                第１筒状体
３２ａ              上端部（第１筒状体の上端部）
３２ｂ              下端部（第１筒状体の下端部）
３２ｃ              軸
３２ｄ              第１開口部
３２ｅ              第２開口部
３３                濾過部
３４                第２筒状体（中空部）
３４ａ              上端部（第２筒状体の上端部）
３４ｂ              下端部（第２筒状体の下端部）
３５                仕切り部
３５ａ              上端部（仕切り部の上端部）
３５ｂ              下端部（仕切り部の下端部）
４０                拡張縁部材
Ｗ                  廃液回収容器（容器）
【図１】
0006771287.tif 000002
【図２】
0006771287.tif 000003
【図３】
0006771287.tif 000004
【図４】
0006771287.tif 000005
【図５】
0006771287.tif 000006
【図６】
0006771287.tif 000007
【図７】
0006771287.tif 000008
【図８】
0006771287.tif 000009
【図９】
0006771287.tif 000010
【図１０】
0006771287.tif 000011
【図１１】
0006771287.tif 000012
【図１２】
0006771287.tif 000013
【図１３】
0006771287.tif 000014
【図１４】
0006771287.tif 000015
【図１５】
0006771287.tif 000016
【図１６】
0006771287.tif 000017